(57)【要約】【課題】処理工程やコストの増加を招くことなく、廃水中に含まれる不純物を除去することが可能な廃水処理システムを提供する。【解決手段】廃水中に含まれる不純物をストリッピング処理によって除去するストリッピング装置を備える廃水処理システムに、前記廃水中に含まれる不純物の成分毎に濃度分析を行う濃度分析装置と、前記濃度分析の結果に基づいて前記廃水のｐＨを決定し、当該決定したｐＨとなるように前記ストリッピング装置に供給する廃水のｐＨを調整するｐＨ調整装置とを設ける。【選択図】図１
2011005391.tif 000002
【特許請求の範囲】
【請求項１】
廃水中に含まれる不純物をストリッピング処理によって除去するストリッピング装置を備える廃水処理システムであって、
前記廃水中に含まれる不純物の成分毎に濃度分析を行う濃度分析装置と、
前記濃度分析の結果に基づいて前記ストリッピング装置に供給する廃水のｐＨを調整するｐＨ調整装置と、
を備えることを特徴とする廃水処理システム。
【請求項２】
前記ｐＨ調整装置は、前記不純物の成分の内、他の成分より濃度の高い成分の遊離度が前記他の成分と比べて高くなるように前記廃水のｐＨを調整することを特徴とする請求項１記載の廃水処理システム。
【請求項３】
前記ｐＨ調整装置は、前記不純物の成分の各々の濃度が同等と看做せる範囲内に収まっている場合、前記不純物の成分の各々の遊離度が一定範囲内に収まるように前記廃水のｐＨを調整することを特徴とする請求項１記載の廃水処理システム。
【請求項４】
前記濃度分析の結果と前記廃水のｐＨとに基づいて前記ストリッピング装置の運転条件を制御する運転制御装置をさらに備えることを特徴とする請求項１〜３のいずれか一項に記載の廃水処理システム。
【請求項５】
前記ストリッピング装置に供給する廃水量を調整する水量調整装置と、
前記ストリッピング装置に供給するストリッピングガス量を調整するガス量調整装置と、
をさらに備え、
前記運転制御装置は、前記濃度分析の結果と前記廃水のｐＨとに基づいて前記水量調整装置及び前記ガス量調整装置を制御することで、前記ストリッピング装置の運転条件として前記ストリッピングガス量と前記廃水量との比である気液比を制御することを特徴とする請求項４記載の廃水処理システム。
【請求項６】
前記ストリッピング処理後に前記ストリッピング装置から得られる処理水を活性汚泥処理する活性汚泥処理装置をさらに備えることを特徴とする請求項１〜５のいずれか一項に記載の廃水処理システム。
【請求項７】
ストリッピング装置を用いて廃水中に含まれる不純物をストリッピング処理によって除去する廃水処理方法であって、
前記廃水中に含まれる不純物の成分毎に行った濃度分析の結果に基づいて前記ストリッピング装置に供給する廃水のｐＨを調整することを特徴とする廃水処理方法。
【請求項８】
前記不純物の成分の内、他の成分より濃度の高い成分の遊離度が前記他の成分と比べて高くなるように前記廃水のｐＨを調整することを特徴とする請求項７記載の廃水処理方法。
【請求項９】
前記不純物の成分の各々の濃度が同等と看做せる範囲内に収まっている場合、前記不純物の成分の各々の遊離度が一定範囲内に収まるように前記廃水のｐＨを調整することを特徴とする請求項７記載の廃水処理方法。
【請求項１０】
前記濃度分析の結果と前記廃水のｐＨとに基づいて前記ストリッピング装置の運転条件を制御することを特徴とする請求項７〜９のいずれか一項に記載の廃水処理方法。
【請求項１１】
前記ストリッピング装置の運転条件として前記ストリッピング装置に供給するストリッピングガス量と廃水量との比である気液比を制御することを特徴とする請求項１０記載の廃水処理方法。
【請求項１２】
前記ストリッピング処理後に得られる処理水を活性汚泥処理することを特徴とする請求項７〜１１のいずれか一項に記載の廃水処理方法。
【発明の詳細な説明】
【技術分野】
【０００１】
本発明は、廃水処理システム及び方法に関する。
【背景技術】
【０００２】
石炭やバイオマスなど不純物の多い資源から合成ガスを製造する過程において、アンモニアやシアン等の揮発性の不純物を含む廃水が発生する。この廃水処理には主に微生物を利用する活性汚泥処理が用いられるが、廃水中に有毒物質であるアンモニアやシアン等が数百ｍｇ／Ｌという高濃度で含まれている場合、活性汚泥プロセスに大きな負荷を与える（微生物を死滅させて活性汚泥の失活を招く）という虞があるため、事前に廃水からアンモニアやシアン等の不純物を除去しておく必要がある。
【０００３】
例えば、廃水中に含まれる揮発性の不純物を除去するプロセスとしてストリッピング処理が知られている。このストリッピング処理とは、ストリッピング塔の塔上部に不純物を含む廃水を供給すると共に、空気や水蒸気等のストリッピングガスを塔下部に供給し、塔内の充填層で気液接触を起こして液相から気相に不純物を移動させることで不純物を除去するプロセスである。このようなストリッピング処理によって不純物除去を行う際、電離している分子は除去が困難であるため、ｐＨを調整して遊離した状態に変える必要がある。なお、下記（１）式はアンモニアに関する電離式を示している。
ＮＨ３（遊離状態）＋Ｈ２Ｏ  ⇔  ＮＨ４＋（電離状態）＋ＯＨ−      …（１）
【０００４】
図２（ａ）は、２５°Ｃの温度条件下におけるｐＨに対するアンモニア（ＮＨ３）及びシアン（ＨＣＮ）の遊離度を示している。この図に示すように、アンモニアは塩基性であるため、ｐＨが高くなると遊離度も高くなり、ｐＨ＝１０以上の条件では遊離度は９０％以上になる一方、ｐＨが低くなると遊離度も低くなり、ｐＨ＝８以下の条件では遊離度は１０％以下になることがわかる。また、シアンはアンモニアと全く逆の特性となり、ｐＨ＝８以下の条件では遊離度は９０％以上になる一方、ｐＨ＝１１以上の条件では遊離度は１０％以下になることがわかる。
【０００５】
図２（ｂ）は、一定の気液比条件下（Ｇ／Ｌ＝５００）で各温度についてｐＨに対するアンモニアの除去率を示したものである。ここで、気液比とはストリッピング塔に供給するストリッピングガス量（Ｇ〔ｍ３／ｈ〕）と廃水量（Ｌ〔ｍ３／ｈ〕）との比である。この図に示すように、ｐＨが高くなるとアンモニアの遊離度は高くなるため除去率も高くなることがわかる。また、図示は省略するが、ｐＨに対するシアンの除去率はアンモニアと逆の特性となるため、ｐＨが高くなるとシアンの遊離度は低くなり除去率も低くなる。なお、アンモニア及びシアンは揮発性なので温度が高くなる程、除去率は高くなる。
【０００６】
このようにストリッピング処理においてアンモニアの除去率とシアンの除去率とはトレードオフの関係にあるため、従来では、ストリッピング処理前に廃水中に水酸化ナトリウム等のアルカリ剤を添加してｐＨが高くなるように（ｐＨ＝１０．５〜１１）調整しておき、ストリッピング処理によって高ｐＨ条件下でアンモニアを優先的に除去し、残ったシアンは後工程でオゾン処理等によって除去していた。
【先行技術文献】
【特許文献】
【０００７】
【特許文献１】特開２００７−１８５５７９号公報
【発明の概要】
【発明が解決しようとする課題】
【０００８】
上記のように、アンモニアとシアンのような性質の異なる複数の不純物を廃水から除去する場合、通常のストリッピング処理だけでは完全な不純物除去が困難であるため、複数のプロセスを併用する必要があり、処理工程やコストの増加を招くという問題があった。
【０００９】
本発明は上述した事情に鑑みてなされたものであり、処理工程やコストの増加を招くことなく、廃水中に含まれる不純物を除去することが可能な廃水処理システム及び方法を提供することを目的とする。
【課題を解決するための手段】
【００１０】
上記課題を解決するために、本発明に係る廃水処理システムは、廃水中に含まれる不純物をストリッピング処理によって除去するストリッピング装置を備える廃水処理システムであって、前記廃水中に含まれる不純物の成分毎に濃度分析を行う濃度分析装置と、前記濃度分析の結果に基づいて前記ストリッピング装置に供給する廃水のｐＨを調整するｐＨ調整装置とを備えることを特徴とする。
また、本発明に係る廃水処理システムにおいて、前記ｐＨ調整装置は、前記不純物の成分の内、他の成分より濃度の高い成分の遊離度が前記他の成分と比べて高くなるように前記廃水のｐＨを調整することを特徴とする。
また、本発明に係る廃水処理システムにおいて、前記ｐＨ調整装置は、前記不純物の成分の各々の濃度が同等と看做せる範囲内に収まっている場合、前記不純物の成分の各々の遊離度が一定範囲内に収まるように前記廃水のｐＨを調整することを特徴とする。
また、本発明に係る廃水処理システムは、前記濃度分析の結果と前記廃水のｐＨとに基づいて前記ストリッピング装置の運転条件を制御する運転制御装置をさらに備えることを特徴とする。
また、本発明に係る廃水処理システムは、前記ストリッピング装置に供給する廃水量を調整する水量調整装置と、前記ストリッピング装置に供給するストリッピングガス量を調整するガス量調整装置とをさらに備え、前記運転制御装置は、前記濃度分析の結果と前記廃水のｐＨとに基づいて前記水量調整装置及び前記ガス量調整装置を制御することで、前記ストリッピング装置の運転条件として前記ストリッピングガス量と前記廃水量との比である気液比を制御することを特徴とする。
また、本発明に係る廃水処理システムは、前記ストリッピング処理後に前記ストリッピング装置から得られる処理水を活性汚泥処理する活性汚泥処理装置をさらに備えることを特徴とする。
【００１１】
一方、本発明に係る廃水処理方法は、ストリッピング装置を用いて廃水中に含まれる不純物をストリッピング処理によって除去する廃水処理方法であって、前記廃水中に含まれる不純物の成分毎に行った濃度分析の結果に基づいて前記ストリッピング装置に供給する廃水のｐＨを調整することを特徴とする。
また、本発明に係る廃水処理方法は、前記不純物の成分の内、他の成分より濃度の高い成分の遊離度が前記他の成分と比べて高くなるように前記廃水のｐＨを調整することを特徴とする。
また、本発明に係る廃水処理方法は、前記不純物の成分の各々の濃度が同等と看做せる範囲内に収まっている場合、前記不純物の成分の各々の遊離度が一定範囲内に収まるように前記廃水のｐＨを調整することを特徴とする。
また、本発明に係る廃水処理方法は、前記濃度分析の結果と前記廃水のｐＨとに基づいて前記ストリッピング装置の運転条件を制御することを特徴とする。
また、本発明に係る廃水処理方法は、前記ストリッピング装置の運転条件として前記ストリッピング装置に供給するストリッピングガス量と廃水量との比である気液比を制御することを特徴とする。
また、本発明に係る廃水処理方法は、前記ストリッピング処理後に得られる処理水を活性汚泥処理することを特徴とする。
【発明の効果】
【００１２】
本発明によれば、ストリッピング処理のみで例えばアンモニアとシアンのような性質の異なる複数の不純物を廃水から除去することができるため、従来のように不純物除去のために複数のプロセスを併用する必要はない。つまり、本発明によれば、処理工程やコストの増加を招くことなく、廃水中に含まれる不純物を除去することの可能な廃水処理システム及び方法を提供することが可能となる。
【図面の簡単な説明】
【００１３】
【図１】本発明の一実施形態に係る廃水処理システム１のブロック図である。
【図２】廃水のｐＨと廃水に含まれるアンモニア及びシアンの遊離度との関係、及び廃水のｐＨとストリッピング処理によるアンモニアの除去率との関係を示す図である。
【図３】各ｐＨの値について入口アンモニア濃度比と必要気液比との対応関係を示すデータの一例である。
【図４】一定のｐＨ条件下におけるストリッピング塔１８の気液比とストリッピング処理によるアンモニアの除去率との関係を示す図である。
【発明を実施するための形態】
【００１４】
以下、図面を参照して、本発明の一実施形態について説明する。
図１は、本実施形態に係る廃水処理システム１のシステム構成を示すブロック図である。本実施形態に係る廃水処理システム１は、例えば石炭やバイオマスなどの資源から合成ガスを製造する化学プラントにおいて発生する、アンモニアやシアン等の揮発性の不純物を含む廃水を処理するシステムであり、具体的にはその廃水を活性汚泥処理する前に、活性汚泥の失活を防ぐために廃水からアンモニア及びシアン等の不純物を除去する機能を備えている。
【００１５】
このような廃水処理システム１は、図１に示すように、廃水バッファ槽１１と、濃度分析装置１２と、ｐＨ計１３と、ｐＨ調整装置１４と、水量調整装置１５と、ガス量調整装置１６と、運転制御装置１７と、ストリッピング塔（ストリッピング装置）１８と、活性汚泥処理槽（活性汚泥処理装置）１９とから構成されている。
【００１６】
廃水バッファ槽１１は、不図示のパイプラインを介して前工程から供給される廃水を一時的に貯留（バッファリング）する槽であり、後述のｐＨ調整装置１４によってｐＨ調整された廃水を所定のタイミングで水量調整装置１５に供給する。なお、この廃水バッファ槽１１は、ｐＨ調整された廃水を所定のタイミングで水量調整装置１５に供給するために廃水を汲み上げるポンプ等（図示省略）を備えている。
【００１７】
濃度分析装置１２は、廃水バッファ槽１１に供給される廃水中に含まれる不純物の成分毎に濃度分析を行い、その濃度分析結果を示す電気信号をｐＨ調整装置１４及び運転制御装置１７に出力する。つまり、この濃度分析装置１２は、廃水中に含まれる不純物であるアンモニア及びシアンのそれぞれについて濃度分析を行う。ｐＨ計１３は、廃水バッファ槽１１に貯留されている廃水のｐＨを計測し、そのｐＨ計測結果を示す電気信号をｐＨ調整装置１４に出力する。
【００１８】
ｐＨ調整装置１４は、濃度分析装置１２から入力される電気信号（つまり廃水中に含まれるアンモニア及びシアンの濃度分析結果）と、ｐＨ計１３から入力される電気信号（つまり廃水バッファ槽１１に貯留されている廃水のｐＨ計測結果）とに基づいて、廃水バッファ槽１１に貯留されている廃水のｐＨを調整する。
【００１９】
具体的には、このｐＨ調整装置１４は、廃水中に含まれるアンモニア及びシアンの濃度分析結果を基にストリッピング塔１８に供給する廃水のｐＨを決定し、その決定したｐＨとなるようにｐＨ計１３から得られるｐＨ計測結果をモニターしつつ、ｐＨ調整剤を廃水バッファ槽１１に供給する。例えば、廃水バッファ槽１１に貯留されている廃水のｐＨをアルカリ性に調整する場合にはｐＨ調整剤として水酸化ナトリウム等のアルカリ性剤を添加すれば良く、また、酸性に調整する場合にはクエン酸等の酸性剤を添加すれば良い。なお、このｐＨ調整装置１４は、ストリッピング塔１８に供給する廃水のｐＨ決定結果を示す電気信号を運転制御装置１７に出力する。
【００２０】
水量調整装置１５は、運転制御装置１７による制御の下、廃水バッファ槽１１から供給される廃水（ｐＨ調整済みの廃水）の水量を調整し、その水量調整後の廃水をストリッピング塔１８の塔上部に供給する。ガス量調整装置１６は、運転制御装置１７による制御の下、不図示のストリッピングガス供給源から供給されるストリッピングガス（例えば、空気又は水蒸気など）のガス量を調整し、そのガス量調整後のストリッピングガスをストリッピング塔１８の塔下部に供給する。これら水量調整装置１５及びガス量調整装置１６としては、例えば運転制御装置１７から出力される弁開度指示信号に応じて弁開度が制御される電磁バルブを用いることができる。
【００２１】
運転制御装置１７は、濃度分析装置１２から入力される電気信号（つまり廃水中に含まれるアンモニア及びシアンの濃度分析結果）と、ｐＨ調整装置１４から入力される電気信号（つまりストリッピング塔１８に供給する廃水のｐＨ決定結果）とに基づいてストリッピング塔１８の運転条件を制御する。具体的には、この運転制御装置１７は、水量調整装置１５及びガス量調整装置１６を制御することで、ストリッピング塔１８に供給するストリッピングガス量（Ｇ）と廃水量（Ｌ）との比（気液比：Ｇ／Ｌ）を制御する。
【００２２】
ストリッピング塔１８は、廃水中に含まれる揮発性の不純物（アンモニア及びシアン）をストリッピング処理によって除去する装置であり、塔内にはラシヒリングやレッシングリングなどの充填材や格子、波板、多孔板などが多数充填されている。このストリッピング塔１８の塔上部から内部に導入された廃水は塔下部へ向かって下降し、一方、塔下部から内部に導入されたストリッピングガスは塔上部へ向かって上昇する。これら廃水とストリッピンガスは、ストリッピング塔１８内の充填層で気液接触を起こし、これにより液相から気相に不純物が移動し、不純物を含むガスが塔頂部から排出される。一方、不純物が除去された廃水（以下、ストリッピング処理水と称す）はストリッピング塔１８の塔底部に溜まり、バルブ等の開閉によって後段の活性汚泥処理槽１９に送られる。
【００２３】
活性汚泥処理槽１９は、ストリッピング塔１８から送られるストリッピング処理水（不純物が除去された廃水）を活性汚泥処理によって浄化し、その活性汚泥処理後に得られる活性汚泥処理水を外部に排出する。
【００２４】
次に、上記のように構成された本実施形態に係る廃水処理システム１の廃水処理動作について詳細に説明する。
まず、不図示のパイプラインを介して前工程から供給された廃水は、廃水バッファ槽１１に一時的に貯留される。この時、濃度分析装置１２は、廃水バッファ槽１１に供給される廃水中に含まれる不純物であるアンモニア及びシアンのそれぞれについて濃度分析を行い、その濃度分析結果を示す電気信号をｐＨ調整装置１４及び運転制御装置１７に出力する。また、ｐＨ計１３は、廃水バッファ槽１１に貯留されている廃水のｐＨを計測し、そのｐＨ計測結果を示す電気信号をｐＨ調整装置１４に出力する。
【００２５】
ここで、ｐＨ調整装置１４は、廃水中に含まれるアンモニア及びシアンの濃度分析結果を基にストリッピング塔１８に供給する廃水のｐＨを決定する。すなわち、図２を用いて説明したように、廃水のｐＨに対してアンモニアの除去率とシアンの除去率とはトレードオフの関係にあるため、ストリッピング処理によってアンモニアとシアンの両方を最も効率良く除去することが可能なｐＨを決定する。
【００２６】
具体的には、アンモニアとシアンの濃度が同等と看做せる範囲内に収まっている場合、アンモニア及びシアンの遊離度が一定範囲内に収まるように廃水のｐＨを決定する。例えば、図２（ａ）に示すように、アンモニアとシアンの濃度が同等と看做せる範囲内に収まっている場合には、アンモニア及びシアンの遊離度が４０〜６０％の範囲内で収まるように廃水のｐＨを９〜９．５の範囲内で決定する。より好ましくは、アンモニアとシアンの遊離度の交点（遊離度：約５０％）に対応するｐＨの値とする。これにより、アンモニアとシアンの遊離度をほぼ同程度にすることができ、ストリッピング処理によってアンモニアとシアンの両方を最も効率良く除去することが可能となる。
【００２７】
また、シアンよりアンモニアの濃度が高い場合には、アンモニアの遊離度がシアンと比べて高くなるように廃水のｐＨを決定する（例えば廃水のｐＨを１０以上の高い値に決定する）ことにより、濃度の高いアンモニアの除去率を向上させる。この場合、シアンの除去率は低下するが、シアンの濃度は低いため、低い除去率でもシアンの除去性能に大きな影響はなく、結果、アンモニアとシアンの両方を最も効率良く除去することが可能となる。
【００２８】
このようにｐＨ調整装置１４は、ストリッピング塔１８に供給する廃水のｐＨを決定すると、その決定したｐＨとなるようにｐＨ計１３から得られるｐＨ計測結果をモニターしつつ、ｐＨ調整剤を廃水バッファ槽１１に供給すると共に、ｐＨ決定結果を示す電気信号を運転制御装置１７に出力する。これにより、廃水バッファ槽１１に貯留されている廃水のｐＨは、ｐＨ調整装置１４によって決定されたｐＨと同じ値となる。そして、廃水バッファ槽１１は、備え付けのポンプによってｐＨ調整された廃水を汲み上げ、所定のタイミングで水量調整装置１５に供給する。
【００２９】
そして、運転制御装置１７は、濃度分析装置１２から入力される電気信号（つまり廃水中に含まれるアンモニア及びシアンの濃度分析結果）と、ｐＨ調整装置１４から入力される電気信号（つまりストリッピング塔１８に供給する廃水のｐＨ決定結果）とに基づいて、水量調整装置１５及びガス量調整装置１６を制御することで、ストリッピング塔１８の気液比（Ｇ／Ｌ）を制御する。具体的には、この運転制御装置１７は、図３に示すような、各ｐＨの値について入口アンモニア濃度比と必要気液比との対応関係を示すデータを予め記憶しており、このデータを基に上記の濃度分析結果及びｐＨ決定結果に応じた必要気液比を求め、その求めた必要気液比と一致するようにストリッピング塔１８の気液比を制御する。
【００３０】
図３からわかるように、運転制御装置１７は、ストリッピング塔１８に供給する廃水のｐＨが低い程、ストリッピング塔１８の気液比が高くなるように制御する。つまり、運転制御装置１７は、水量調整装置１５を制御してストリッピング塔１８に供給される廃水量を一定に維持する一方、ガス量調整装置１６を制御してストリッピング塔１８に供給されるストリッピングガス量を増大させることで気液比を高くする。これは、図４に示すように、一定のｐＨ条件下（図３ではｐＨ＝９）では、ストリッピング塔１８の気液比が高くなる程、アンモニアの除去率も高くなるため、ストリッピング塔１８に供給する廃水のｐＨが低い場合（アンモニアの遊離度が低い場合）であっても、アンモニアの除去率の向上を図ることが可能になるためである。
【００３１】
上記のような廃水のｐＨ調整及びストリッピング塔１８の気液比制御により、ストリッピング塔１８におけるストリッピング処理によって廃水に含まれるアンモニア及びシアンの両方が効果的に除去されるため、ストリッピング塔１８から活性汚泥処理槽１９に送られるストリッピング処理水のアンモニア及びシアン含有量が大幅に低減することになる。つまり、活性汚泥処理槽１９において、活性汚泥の失活（微生物の死滅）を招くことなく、ストリッピング処理水の活性汚泥処理を行うことができる。
【００３２】
以上説明したように、本実施形態に係る廃水処理システム１によれば、廃水中に含まれるアンモニアとシアンのような性質の異なる不純物をストリッピング処理のみで除去することができるため、従来のように不純物除去のための複数のプロセスを併用する必要がなくなり、処理工程やコストの増加を招くという問題を解決することが可能となる。
【００３３】
なお、本発明は上記実施形態に限定されず、以下のような変形例が挙げられる。
（１）上記実施形態では、廃水中に含まれる不純物の成分としてアンモニア及びシアンを想定して説明したが、これらのように性質の異なる（言い換えれば除去率がトレードオフの関係にある）成分を有する不純物を含む廃水であれば、本発明を適用することが可能である。
【００３４】
（２）上記実施形態では、廃水中に含まれるアンモニア及びシアンの濃度分析結果と、ストリッピング塔１８に供給する廃水のｐＨ決定結果とに基づいて、ストリッピング塔１８の運転条件（気液比）を制御する場合を例示したが、必ずしも運転条件を制御する必要はなく、常に運転条件を一定としても良い。但し、不純物除去性能の向上を図る観点から運転条件を制御する方が好ましい。
【符号の説明】
【００３５】
１…廃水処理システム、１１…廃水バッファ槽、１２…濃度分析装置、１３…ｐＨ計、１４…ｐＨ調整装置、１５…水量調整装置、１６…ガス量調整装置、１７…運転制御装置、１８…ストリッピング塔、１９…活性汚泥処理槽
【図１】
2011005391.tif 000003
【図２】
2011005391.tif 000004
【図３】
2011005391.tif 000005
【図４】
2011005391.tif 000006